(57)【要約】【目的】  ソロ出力の対象とするｃｈとそれ以外のｃｈとで音量に差をつけなくても、ソロ出力の対象とするｃｈの出力を強調できるようにする。【構成】  複数のチャンネルで音響信号を処理して出力するデジタルミキサにおいて、ソロ出力を行うチャンネル（ソロｃｈ）の指定を受け付け、その受け付けた指定に従い、ソロｃｈの音響信号の音像を第１の位置に定位させると共に、ソロｃｈ以外のチャンネルの音響信号の音像を、上記第１の位置とは異なる第２の位置に定位させるようにした。【選択図】        図５
2006140674.tif 000002
【特許請求の範囲】
【請求項１】
複数のチャンネルで音響信号を処理して出力する音響信号処理装置であって、
前記チャンネル中で、ソロ出力を行うチャンネルの指定を受け付けるソロ指定受付手段と、
該手段が受け付けた指定に従い、ソロ出力を行うチャンネルの音響信号の音像を第１の範囲に定位させると共に、ソロ出力を行うチャンネル以外のチャンネルの音響信号の音像を、前記第１の範囲とは異なる第２の範囲に定位させる手段を設けたことを特徴とする音響信号処理装置。
【請求項２】
複数のチャンネルで音響信号を処理して出力する音響信号処理装置であって、
前記チャンネル中で、ソロ出力を行うチャンネルの指定を受け付けるソロ指定受付手段と、
前記各チャンネルについて、そのチャンネルの音響信号の音像を定位させる位置である音像定位位置の指定を受け付けるパン指定受付手段と、
前記ソロ指定受付手段が受け付けた指定に従い、ソロ出力を行うチャンネルからなる第１のチャンネル群内の各チャンネルの音像定位位置の範囲である第１の範囲と、前記第１のチャンネル群以外のチャンネルからなる第２のチャンネル群内の各チャンネルの音像定位位置の範囲である第２の範囲とが、重ならないように、各チャンネルについて前記パン指定受付手段で受け付けた音像定位位置の前記各チャンネル群内での相対的な位置関係を維持したまま、各チャンネルに係る音像定位位置を定める手段を設けたことを特徴とする音響信号処理装置。
【請求項３】
請求項１又は２記載の音響信号処理装置であって、
前記第１の範囲と前記第２の範囲の少なくとも一方の位置の指定を受け付ける手段を設けたことを特徴とする音響信号処理装置。
【請求項４】
請求項１乃至３のいずれか一項記載の音響信号処理装置であって、
前記ソロ指定受付手段が受け付けた指定に従い、前記ソロ出力を行うチャンネル以外の音響信号の音量を、設定されている値よりも所定量小さい値に変更する手段を設けたことを特徴とする音響信号処理装置。
【請求項５】
コンピュータを、複数のチャンネルで音響信号を処理して出力する音響信号処理装置として機能させるためのプログラムであって、
前記コンピュータを、
前記チャンネル中で、ソロ出力を行うチャンネルの指定を受け付けるソロ指定受付手段と、
該手段が受け付けた指定に従い、ソロ出力を行うチャンネルの音響信号の音像を第１の範囲に定位させると共に、ソロ出力を行うチャンネル以外のチャンネルの音響信号の音像を、前記第１の範囲とは異なる第２の範囲に定位させる手段として機能させるためのプログラムを含むことを特徴とするプログラム。
【請求項６】
コンピュータを、複数のチャンネルで音響信号を処理して出力する音響信号処理装置として機能させるためのプログラムであって、
前記コンピュータを、
前記チャンネル中で、ソロ出力を行うチャンネルの指定を受け付けるソロ指定受付手段と、
前記各チャンネルについて、そのチャンネルの音響信号の音像を定位させる位置である音像定位位置の指定を受け付けるパン指定受付手段と、
前記ソロ指定受付手段が受け付けた指定に従い、ソロ出力を行うチャンネルからなる第１のチャンネル群内の各チャンネルの音像定位位置の範囲である第１の範囲と、前記第１のチャンネル群以外のチャンネルからなる第２のチャンネル群内の各チャンネルの音像定位位置の範囲である第２の範囲とが、重ならないように、各チャンネルについて前記パン指定受付手段で受け付けた音像定位位置の前記各チャンネル群内での相対的な位置関係を維持したまま、各チャンネルに係る音像定位位置を定める手段として機能させるためのプログラムを含むことを特徴とするプログラム。
【発明の詳細な説明】
【技術分野】
【０００１】
この発明は、複数のチャンネルで音響信号を処理して出力する音響信号処理装置及び、コンピュータをこのような音響信号処理装置として機能させるためのプログラムに関する。
【背景技術】
【０００２】
従来から、複数のチャンネル（ｃｈ）で音響信号を処理して出力するデジタルミキサのような音響信号処理装置において、ソロ機能を設けることが行われている。このソロ機能は、指定したｃｈの音響信号を他のｃｈの音響信号よりも強調して出力する機能である。そして、ｃｈ毎にソロ出力の対象とするか否かを指定するためのスイッチを設け、このスイッチにより強調して出力するｃｈを指定できるようにすることも行われている。
また、指定したｃｈの音響信号を強調する方法としては、強調したいｃｈ以外の音響信号の出力音量を、ゼロにしたり、あるいはコントラストダイヤルにより設定された所定の音量にしたりすることが考えられる。
このような技術に関しては、例えば特許文献１に記載されている。
【特許文献１】特開２００２−３１１９５６号公報
【発明の開示】
【発明が解決しようとする課題】
【０００３】
しかし、従来の音響信号処理装置においては、ソロ出力の対象とするｃｈとそれ以外のｃｈとで、ある程度出力音量に差をつけなければ、ソロ出力の対象とするｃｈの出力を強調することができないという問題があった。
この発明は、このような問題を解決し、ソロ出力の対象とするｃｈとそれ以外のｃｈとで音量に差をつけなくても、ソロ出力の対象とするｃｈの出力を強調できるようにすることを目的とする。
【課題を解決するための手段】
【０００４】
上記の目的を達成するため、この発明の音響信号処理装置は、複数のチャンネルで音響信号を処理して出力する音響信号処理装置において、上記チャンネル中で、ソロ出力を行うチャンネルの指定を受け付けるソロ指定受付手段と、その手段が受け付けた指定に従い、ソロ出力を行うチャンネルの音響信号の音像を第１の範囲に定位させると共に、ソロ出力を行うチャンネル以外のチャンネルの音響信号の音像を、上記第１の範囲とは異なる第２の範囲に定位させる手段を設けたものである。
【０００５】
また、この発明の音響信号処理装置は、複数のチャンネルで音響信号を処理して出力する音響信号処理装置において、上記チャンネル中で、ソロ出力を行うチャンネルの指定を受け付けるソロ指定受付手段と、上記各チャンネルについて、そのチャンネルの音響信号の音像を定位させる位置である音像定位位置の指定を受け付けるパン指定受付手段と、上記ソロ指定受付手段が受け付けた指定に従い、ソロ出力を行うチャンネルからなる第１のチャンネル群内の各チャンネルの音像定位位置の範囲と、上記第１のチャンネル群以外のチャンネルからなる第２のチャンネル群内の各チャンネルの音像定位位置の範囲とが、重ならないように、各チャンネルについて上記パン指定受付手段で受け付けた音像定位位置の上記各チャンネル群内での相対的な位置関係を維持したまま、各チャンネルに係る音像定位位置を定める手段を設けたものである。
【０００６】
これらの音響信号処理装置において、上記第１の範囲と上記第２の範囲の少なくとも一方の位置の指定を受け付ける手段を設けるとよい。
さらに、上記ソロ指定受付手段が受け付けた指定に従い、上記ソロ出力を行うチャンネル以外の音響信号の音量を、設定されている値よりも所定量小さい値に変更する手段を設けるとよい。
【０００７】
また、この発明は、装置の発明として構成し、実施することができるのみならず、コンピュータまたはデジタルシグナルプロセッサ等のプロセッサのプログラムの形態で実施することができる。
【発明の効果】
【０００８】
以上のようなこの発明の音響信号処理装置によれば、ソロ出力の対象とするｃｈとそれ以外のｃｈとで音量に差をつけなくても、ソロ出力の対象とするｃｈの出力を強調できるようにすることができる。
また、この発明のプログラムによれば、コンピュータを音響信号処理装置として機能させ、同様な効果を得ることができる。
【発明を実施するための最良の形態】
【０００９】
以下、この発明を実施するための最良の形態を図面に基づいて具体的に説明する。
まず、この発明の音響信号処理装置の実施形態であるデジタルミキサについて説明する。図１は、そのデジタルミキサの概略構成を示すブロック図である。
このデジタルミキサ１０は、入力する音響信号（波形データ）に対して各種の信号処理を行って出力する音響信号処理装置であり、図１に示すように、ＣＰＵ１１，ＲＯＭ１２，ＲＡＭ１３，通信Ｉ／Ｆ１４，表示回路１５，検出回路１６，音響信号入出力部１７，信号処理部（ＤＳＰ：デジタル・シグナル・プロセッサ）１８がシステムバス２１によって接続されている。また、表示部１９や操作子２０を含むコンソール１００を設け、このうち表示部１９を表示回路１５に、操作子２０を検出回路１６にそれぞれ接続している。
【００１０】
そして、ＣＰＵ１１は、デジタルミキサ１０を統括制御する制御部であり、ＲＯＭ１２に記憶された所要の制御プログラムを実行することにより、通信Ｉ／Ｆ１４を介した通信の制御、表示回路１５を介した表示部１９の表示制御、検出回路１６を介した操作子２０の操作内容検出、音響信号入出力部１７における音響信号の入出力制御、ＤＳＰ１８における信号処理制御等の制御動作を行う。
【００１１】
ＲＯＭ１２は、ＣＰＵ１１が実行する制御プログラムや、変更する必要のないデータ等を記憶する記憶手段である。このＲＯＭ１２をフラッシュメモリ等の書き換え可能な不揮発性記憶手段によって構成し、これらのデータを更新できるようにすることも考えられる。
ＲＡＭ１３は、ＣＰＵ１１のワークメモリとして使用したり、一時的に使用するパラメータの値等を記憶したりする記憶手段である。
【００１２】
通信Ｉ／Ｆ１４は、ＰＣ（パーソナルコンピュータ）や音源ユニット等の外部機器と通信を行うためのインタフェースであり、例えばＵＳＢ（Universal Serial Bus）規格や、ＩＥＥＥ１３９４（Institute of Electrical and Electronic Engineers 1394）規格、あるいはＲＳ２３２Ｃ（Recommended Standard 232 version C）規格等に準拠したインタフェースを用いることができる。また、ネットワークカード等を用いてＬＡＮ（ローカルエリアネットワーク）を介した通信を行うこともできる。
【００１３】
表示回路１５は、ＣＰＵ１１からの指示に従って、コンソール１００中の表示部１９における表示を制御する回路である。また、表示部１９は、液晶ディスプレイ（ＬＣＤ）や発光ダイオード（ＬＥＤ）ランプ等によって構成され、デジタルミキサ１０の動作状態や設定内容あるいはユーザへのメッセージ、ユーザからの指示を受け付けるためのグラフィカル・ユーザ・インタフェース（ＧＵＩ）等を表示するための表示手段である。
【００１４】
検出回路１６は、コンソール１００中の操作子２０に対してなされた操作内容を検出してその内容に従った信号をＣＰＵ１１に伝達するための回路である。また、操作子２０は、キー、ボタン、ダイヤル、スライダ等によって構成され、デジタルミキサ１０に対するユーザからの操作を受け付けるための操作手段である。なお、タッチパネルをＬＣＤに積層する等して表示部１９と操作子２０とを一体に形成することもできる。
【００１５】
音響信号入出力部１７は、ＤＳＰ１８にて処理すべき音響信号の入力を受け付けたり、ＤＳＰ１８での処理後の音響信号を出力したりするためのインタフェースである。音響信号の入力は、複数のチャンネル（ｃｈ）、例えば９６ｃｈで受付可能であり、アナログ信号を入力する場合にはＡ／Ｄコンバータによってデジタル信号に変換する。なお、ここから入力する音響信号は、ハードディスク等の記憶装置から読み出したデータでもよい。また出力も複数のｃｈ、例えば４８ｃｈで行うことが可能であり、アナログ信号を出力する場合にはＤＳＰ１８での処理後の音響信号をＤ／Ａコンバータによってアナログ信号に変換する。そして、出力部にスピーカ等のサウンドシステムを接続し、ＤＳＰ１８による処理後の音響信号に基づく発音を行わせることもできる。
【００１６】
ＤＳＰ１８は、操作子２０の操作及びそれに応じたＣＰＵ１１からの指示によって指定される各種パラメータに従って、音響信号入出力部１７から入力する音響信号（波形データ）に対してミキシング、イコライジング、エフェクト処理等の各種の信号処理を行って出力するユニットである。そして、多ｃｈの音響信号を同時に処理可能である。
【００１７】
次に、このデジタルミキサ１０のコンソールについて説明する。
図２は、そのコンソールの構成を、この実施形態の特徴と関連する部分を中心に示す図である。
図２に示すように、デジタルミキサ１０のコンソール１００には、ｃｈストリップ１２０ａ〜１２０ｎ（総称する場合は符号「１２０」を用いる）、液晶ディスプレイ１３１、カーソルキー１３２、コントラストダイヤル１３３、レイヤ選択キー１３４を設けている。
【００１８】
このうち各ｃｈストリップ１２０は、音響信号入出力部１７の各ｃｈに割り当て、割り当てられた入力ｃｈや出力ｃｈについてのパラメータの設定操作を行うための操作子群であり、ここでは２４ｃｈ分設けている。
そして、各ｃｈストリップ１２０には、表示パネル１２１，パンスイッチ１２２，選択スイッチ１２３，ソロスイッチ１２４，オンスイッチ１２５，フェーダ１２７を設けている。なお、特定のｃｈストリップ中のこれら各ユニットを指す場合には、そのユニットが属するｃｈストリップと同じアルファベットを付した符号を用いるが、各ｃｈストリップのユニットを総称する場合には、アルファベットのない符号を用いる。
【００１９】
そして、上記のユニットのうち表示パネル１２１は、蛍光管ディスプレイであり、各ｃｈストリップ１２０に割り当てられたｃｈの番号や、ｃｈストリップ１２０内の操作子によって設定したパラメータの値を表示する表示部である。
パンスイッチ１２２は、絶対位置に関係無く操作量と回転方向のみを検出するダイヤル式のスイッチであり、対応するｃｈで処理する音響信号の音像を定位させる位置である音像定位位置（パン）を調整するパンニング調整に使用される。そして、パンスイッチ１２２及びその操作を検出する検出回路１６が、パン指定受付手段である。
【００２０】
選択スイッチ１２３、ソロスイッチ１２４、オンスイッチ１２５は、それぞれｃｈの選択、ソロ出力、出力オンを設定するためのスイッチであり、これらのスイッチを押下することにより、対応するパラメータのオン／オフをトグルで切換えることができる。
なお、このうちソロ出力は、詳細については後述するが、オンとなっているｃｈの音響信号を、オフとなっているｃｈの音響信号よりも強調して出力するようにすることを指定するためのパラメータである。そして、ソロスイッチ１２４及びその押下を検出する検出回路１６が、ソロ指定受付手段である。
【００２１】
また、選択スイッチ１２３、ソロスイッチ１２４、オンスイッチ１２５には、ＬＥＤを備え（ソロスイッチ１２４に備えるもののみに代表して符号１２６を付す）、その点灯／消灯によって対応するパラメータのオン／オフを表示することができる。
フェーダ１２７は、各ｃｈの音量を設定するためのスライドボリウム（可変抵抗器）による音量操作子であり、そのつまみ１２８を操作して適当な位置に移動させることにより、対応するｃｈストリップが割り当てられたｃｈの音量の値を定めることができる。
【００２２】
また、液晶ディスプレイ１３１は、デジタルミキサ１０におけるパラメータの設定を行うためのＧＵＩや、そのＧＵＩによる設定の結果、このデジタルミキサの動作状態等を表示するための表示部である。
カーソルキー１３２は、液晶ディスプレイ１３１に表示させた画面上のカーソルやポインタを移動させたり、その画面上でパラメータの値を変更したりするための操作子である。
コントラストダイヤル１３３は、ソロ出力がオフになっているｃｈの音響信号の音量を、フェーダ１２７によって設定されている音量よりもどの程度小さい値にするかを設定するための操作子であり、ここでは０デシベル（ｄＢ）から−９６ｄＢまでの倍率を設定できるようにしている。そして、ソロ出力がオフになっているｃｈの音響信号については、フェーダ１２７によって設定されている音量に、コントラストダイヤル１３３により設定されている倍率を乗算した音量、すなわちフェーダ１２７によって設定されている音量よりユーザが定めた所定量だけ小さい音量で出力するようにしている。
【００２３】
レイヤ選択キー１３４は、ｃｈストリップ１２０に音響信号入出力部１７の各ｃｈを割り当てるための操作子である。このデジタルミキサ１０においては、１〜２４番目のｃｈストリップの割り当て先をレイヤとして定義しておき、各レイヤ選択キーが押下された場合に、対応するレイヤに属する各ｃｈに各ｃｈストリップ１２０を割り当てるようにしている。このようにすることにより、ｃｈストリップ１２０の数よりも音響信号入出力部１７のｃｈ数の方が多い場合でも、各ｃｈストリップ１２０を適当なｃｈに割り当てることができる。
【００２４】
以上の各操作子や表示部の機能は、ＣＰＵ１１が所要の制御プログラムを実行し、検出回路１６によって検出した各操作子の操作内容に応じた処理を行うことにより、実現されるものである。そして、この実施形態の特徴は、いずれかのｃｈについてソロ出力がオンにされた場合、ソロ出力がオンのｃｈの音響信号とオフのｃｈの音響信号とで、異なる位置又は範囲に音像を定位させるようにした点である。
【００２５】
次に、この機能を実現するためにＣＰＵ１１が実行する処理について説明する。なお、その他の一般的な機能を実現するための処理については、説明を省略する。
図３に、デジタルミキサ１０のＣＰＵ１１がいずれかのソロスイッチ１２４が押下された場合に実行する処理のフローチャートを示す。なお、この図に示すのは、１つのｃｈについてのみソロ出力をオンに設定できるようにした場合の処理例である。
ＣＰＵ１１は、コンソール１００においていずれかのソロスイッチ１２４が押下されると、図３のフローチャートに示す処理を開始する。
【００２６】
そして、まず押下されたソロスイッチの属するｃｈストリップに割り当てられているｃｈ（「操作ｃｈ」とする）を検出する（Ｓ１１）。そして、そのｃｈのソロ出力がオフであった場合、他にソロ出力がオンになっているｃｈがあるか否か検索し（Ｓ１２，Ｓ１３）、なければ、新たにソロ出力モード（少なくとも１つのｃｈについてソロ出力オンが設定されている場合の動作モード）に移行すべく、全ｃｈのパンと音量の値をバッファに記録して後で復元できるようにすると共に（Ｓ１４，Ｓ１６）、操作ｃｈのソロ出力をオンに設定する（Ｓ１７）。
【００２７】
一方、操作ｃｈの他にソロ出力がオンになっているｃｈがあれば、発見されたｃｈのソロ出力をオフに設定すると共に、操作ｃｈのソロ出力をオンに設定し、ソロ出力を行うｃｈを、それまでのｃｈから操作ｃｈに変更する（Ｓ１５，Ｓ１７）。
その後、操作ｃｈ（ソロ出力がオンのｃｈ）のパンを第１の位置に設定し、操作ｃｈ以外の全ｃｈ（ソロ出力がオフのｃｈ）のパンを第２の位置に設定する（Ｓ１８，Ｓ１９）。なお、第１の位置や第２の位置をどのように定めるかについては、後に詳述する。
【００２８】
また、その後、操作ｃｈの音量を音量バッファに記憶してある値に設定すると共に、操作ｃｈ以外の全ｃｈの音量を、音量バッファに記憶してある値にコントラストダイヤル１３３によって設定されている値を乗算した値に設定し（Ｓ２０，Ｓ２１）、処理を終了する。
なお、ステップＳ１８乃至Ｓ２１の処理においては、設定値を変更する必要がないｃｈが予めわかる場合には、そのｃｈに係る設定を改めて行う必要はない。例えば、図３の処理開始前から既にソロ出力モードであった場合、ソロ機能のオン／オフを変更していないｃｈについては、パンや音量の値を変更する必要はない。
一方、ステップＳ１２で操作ｃｈのソロ出力がオフでなければ（オンであれば）、操作ｃｈのソロ出力をオフに設定し（Ｓ２２）、これでソロ出力がオンのｃｈがなくなるので、ソロ出力モードを終了して通常の動作に戻るべく、全ｃｈのパンと音量の値をバッファに記録してある値に戻して（Ｓ２３）処理を終了する。
【００２９】
以上のような処理を行い、ソロ出力がオンのｃｈとそれ以外のｃｈとで音響信号の音像を異なる位置に定位させるようにすることにより、ユーザがスピーカ等の発音手段から出力される、各ｃｈの音響信号を混合した音響信号に係る音を聞く際に、ソロ出力がオンのｃｈの音響信号に係る音と、それ以外のｃｈの音響信号に係る音とを、容易に区別して認識することができる。そして、ソロ出力がオンのｃｈが少数であれば、これらのｃｈの音響信号に係る音を、他のｃｈの音響信号に係る音から分離して強調したような感覚で聞くことができる。
【００３０】
この際、ソロ出力がオンでないｃｈの音量を下げること、すなわちステップＳ２０及びＳ２１の処理は、必須ではない。ただし、この処理を行うようにすると、ソロ出力がオンのｃｈの音響信号に係る音を一層強調できるようになる。また逆に、音量に差をつけないようにすれば、ソロ出力がオンのｃｈの音響信号に係る音を強調しつつ、同時にそれ以外のｃｈの音響信号に係る音との間の音量のバランスも把握することができる。従って、コントラストダイヤル１３３等により、ソロ出力がオンでないｃｈの音量を下げるか否か、また下げるとすればその度合いを、ユーザが好みに応じて選択できるようにすることが好ましい。
【００３１】
また、ソロ出力モードにおいてパンスイッチ１２２やフェーダ１２７が操作された場合、その操作に従ってパンバッファや音量バッファの内容を更新すると共に、実際の出力に使用する各ｃｈのパンや音量の値も必要に応じて更新するものとする。
また、複数のｃｈについてソロ出力をオンに設定できるようにすることも考えられる。
【００３２】
そこで、図４に、このようにする場合の図３に示した処理と対応する処理のフローチャートを示す。
この処理においても、ステップＳ３１乃至Ｓ３４は、図３のステップＳ１１乃至Ｓ１４の場合と同様である。そして、ステップＳ３４でＮＯの場合、新たにソロ出力モードに移行すべく、ステップＳ３５〜Ｓ３７の処理を行う。これらの処理は、図３のステップＳ１６，Ｓ１９，Ｓ２１の処理と同趣旨のものである。そしてその後、ステップＳ３８〜Ｓ４０に進み、図３のステップＳ１７，Ｓ１８，Ｓ２０と同趣旨の処理により、操作ｃｈのソロ出力をオンに設定すると共に、パンや音量を適切な値に設定して処理を終了する。また、ステップＳ３４でＹＥＳの場合には、特に他のｃｈについての制御を行う必要はないので、そのままステップＳ３８〜Ｓ４０の処理を行い、処理を終了する。
【００３３】
一方、ステップＳ３２で操作ｃｈのソロ出力がオンであった場合も、操作ｃｈ以外でソロ出力がオンに設定されているｃｈがあるか否か検索する（Ｓ４１）。そしてあれば、操作ｃｈのソロ出力をオフにしてもまだソロ出力モードを継続するので、ステップＳ４２からステップＳ４３〜Ｓ４５に進み、操作ｃｈのソロ出力をオフに設定すると共に、そのｃｈのパンや音量を、ソロ出力がオフのｃｈについて設定すべき値に変更し、処理を終了する。
【００３４】
また、ステップＳ４２で該当ｃｈがなければ、操作ｃｈのソロ出力をオフにするとソロ出力モードを終了することになるため、ステップＳ４６及びＳ４７で、図３のステップＳ２２及びＳ２３と同趣旨の処理を行って処理を終了する。
以上のような処理を行うようにすれば、複数のｃｈについてソロ出力オンを設定し、それらのｃｈの音響信号に係る音と、ソロ出力がオフのｃｈの音響信号に係る音とを、ユーザが容易に区別して認識できるようにすることができる。
【００３５】
次に、ソロ出力のオン／オフに応じた音像定位制御について説明する。
図５及び図６は、ソロ出力のオン／オフに応じた音像定位制御について説明するための図である。そして、これらの図においては、デジタルミキサ１０において音像を定位させられる位置の範囲を模式的にバーで示し、その下側に、各ｃｈの音像を定位させる位置を矢印で示している。また、「ソロｃｈ」は、ソロ出力のオンが設定されているｃｈを示す。
【００３６】
図５（ａ）に示すように、どのｃｈのソロ出力もオンになっていない状態では、パンスイッチ１２２により、各ｃｈの音響信号の音像を定位させる位置（パン）を、好みの位置に定めることができる。ここでは、例としてｃｈＡ〜ｃｈＥの５つのｃｈについてのパンの位置を示している。
そして、いずれかのｃｈについてソロ出力がオンになった場合、図３及び図４を用いて上述したように、デジタルミキサ１０はソロ出力モードに移行し、ソロｃｈとソロｃｈ以外のｃｈとで、異なる位置に音像を定位させるようにする。図５（ｂ）乃至（ｅ）に、この場合のパンの定め方の例を示している。
【００３７】
すなわち、まず、（ｂ）に示すように、ソロｃｈのパンを最も左側に設定し、ソロｃｈ以外のｃｈのパンを最も右側に設定することが考えられる。このようにすれば、ソロｃｈとソロｃｈ以外のｃｈとで、音像を定位させる位置を最も離すことができ、これらのｃｈの音響信号に係る音を容易に識別できるようにすることができる。
また、パンの位置を最も端にしなくても、（ｃ）に示すように、ソロｃｈのパンが中央よりも左側、それ以外のｃｈのパンが中央より右側というように、ソロｃｈとそれ以外のｃｈとで、パンの位置が中央から見て左右に分かれていれば、音の識別は比較的容易である。もちろん、（ｄ）に示すように、左右が逆でもよい。
【００３８】
あるいは、（ｅ）に示すように、ソロｃｈとそれ以外のｃｈとでパンの位置が中央から見て左右の一方に偏っていたとしても、これらの位置が所定距離（角度）以上離れていれば、やはりこれらのｃｈの音響信号に係る音を容易に識別できると考えれられ、このようにしてもよい。なお、（ｃ）や（ｄ）の場合にはこの所定距離を確保することは必須ではないが、確保するようにするとよい。また、一般には、パンの位置が離れる程、音の識別は容易になると考えられる。
【００３９】
また、ソロ出力モードにおけるパンの位置は、ソロｃｈ（第１のｃｈ群）とそれ以外のｃｈ（第２のｃｈ群）とで、各１ヶ所とする必要はない。例えば、ソロ指定前における各ｃｈのパンの設定値を、ソロ出力モードにおけるパンの位置に反映させるようにしてもよい。
図６には、この場合の例を示している。
（ａ）は、ｃｈＢのみソロ出力をオンにした場合の例であるが、ここに示すように、ソロｃｈ以外のｃｈのパンを、パンスイッチ１２２によって設定されているパンの相対的な位置関係を保ったまま、所定の範囲内に設定するようにしてもよい。この場合において、ｃｈ間の間隔の比も保つようにしてもよいし、単に順番だけ保つようにし、所定の範囲を等分割した位置に設定する等してもよい。もちろん、その他の配置にしてもよい。
【００４０】
また、複数のｃｈについてソロ出力をオンにする場合には、（ｂ）に示すように、ソロｃｈのパンについても、パンスイッチ１２２によって設定されているパンの相対的な位置関係を保ったまま、所定の範囲内に設定するようにしてもよい。
また、パンを設定する範囲は、ソロｃｈのパンを設定する範囲と、ソロｃｈ以外のｃｈのパンを設定する範囲とが重ならなければ、パンを設定し得る位置の端から定める必要はない。そして、ソロｃｈのパンを設定する範囲と、ソロｃｈ以外のｃｈのパンを設定する範囲とが所定距離以上離れていたり（ｃ，ｅ）、中央から見て左右に分かれていたり（ｄ）することが好ましいが、これらに限られることはない。
【００４１】
以上の説明からわかるように、混合された状態で聞いたときに、ソロｃｈの音響信号に係る音とそれ以外のｃｈの音響信号に係る音とが区別できるような位置に各ｃｈの音像を定位させるようにすれば、ソロ出力モードにおける各ｃｈのパンの位置は、その詳細は問わない。
また、どの程度パンの位置が離れていれば音を区別できるかは耳の個人差、音の内容、スピーカの配置や特性等によって異なるから、上述の所定距離を始め、ソロ出力モードにおけるパンの位置の定め方をユーザが指定できるようにしてもよい。
【００４２】
この場合において、所定距離の設定値が極めて小さい値となることもありうる。あるいは、ソロｃｈのパンを設定する範囲（第１の範囲）とソロｃｈ以外のｃｈのパンを設定する範囲（第２の範囲）の少なくとも一方を、ユーザが自由に指定できるようにすることも考えられる。さらに、第１の範囲と第２の範囲の一方が指定された場合、他方の範囲を、予め用意した規則又はユーザが指定した規則に従って自動的に定めることができるようにしてもよい。
また、ソロｃｈ又はソロｃｈ以外のｃｈの一方のパンの位置を保ったまま他方のみを移動させて必要な条件を満たせるのであれば、各ｃｈのパンの位置をこのように定めてもよい。
【００４３】
以上でこの実施形態の説明を終了するが、装置の構成、具体的な処理内容や操作方法等が上述の実施形態で説明したものに限られないことはもちろんである。
例えば、この発明は、シンセサイザのような電子楽器にも適用することができる。このような電子楽器においては、「チャンネル」に代えて「パート」や「トラック」の呼称が用いられることも多いが、複数のチャンネルの音響信号に混合等の処理を行って出力する機能を設けることは行われており、このような場合には電子楽器も音響信号処理装置に該当する。
【００４４】
そして、図７に、シンセサイザにおける操作パネルの例を示すが、この操作パネル２００においては、破線で囲んだ部分の拡大図中に示すソロボタン２０１を押下しながら符号２０２で示すｃｈ選択ボタンを押下すると、押下したボタンと対応するｃｈについて、ソロ出力のオン／オフをトグルで設定できるようにし、また、操作子群２１０を構成するスライダやロータリーエンコーダを任意のｃｈに割り当て、そのｃｈの音量やパンを設定できるようにすることが考えられる。
そして、このシンセサイザの場合でも、ソロ出力のオン／オフ、音量及びパンの設定内容に従って、上述したデジタルミキサの場合と同様な処理を行うことにより、同様な効果を得ることができる。
【００４５】
なお、処理対象の音響信号には、ＭＩＤＩ（Musical Instruments Digital Interface：登録商標）データ等の演奏データに基づき、内蔵の音源手段によって発生させたり、ＨＤＤ（ハードディスクドライブ）等の記憶手段から読み出したりしたものも含む。また、各ｃｈにおける処理対象の信号はステレオ信号であってもモノラル信号であってもよい。
さらに、この発明が、アナログ信号処理を行うものも含め、上述したもの以外の音響信号処理装置に適用できることも、もちろんである。ソロ出力等のパラメータの設定が、外部のＰＣ（パーソナルコンピュータ）によってなされるような構成であってもよい。
【００４６】
さらに、この発明のプログラムは、コンピュータにハードウェアを制御させて上述したような音響信号処理装置として機能させるためのプログラムであり、予めＲＯＭやＨＤＤ等に記憶させておくほか、ＣＤ−ＲＯＭあるいはフレキシブルディスク等の不揮発性記録媒体（メモリ）に記録して提供し、そのメモリからこのプログラムをＲＡＭに読み出させてＣＰＵに実行させたり、プログラムを記録した記録媒体を備える外部機器あるいはプログラムをＨＤＤ等の記憶手段に記憶した外部機器からダウンロードして実行させたりしても、同様の効果を得ることができる。
【産業上の利用可能性】
【００４７】
以上の説明から明らかなように、この発明の音響信号処理装置又はプログラムによれば、ソロ出力の対象とするｃｈとそれ以外のｃｈとで音量に差をつけなくても、ソロ出力の対象とするｃｈの出力を強調できるようにすることができる。
従って、ソロ機能の有用性が高い電子音楽装置を提供することができる。
【図面の簡単な説明】
【００４８】
【図１】この発明の音響信号処理装置の実施形態であるデジタルミキサの構成を示すブロック図である。
【図２】図１に示したデジタルミキサのコンソールの構成を、その特徴と関連する部分を中心に示す図である。
【図３】図１に示したデジタルミキサのＣＰＵが、いずれかのソロスイッチが押下された場合に実行する処理のフローチャートである。
【図４】その別の例を示すフローチャートである。
【図５】図１に示したデジタルミキサにおけるソロ出力のオン／オフに応じた音像定位制御について説明するための図である。
【図６】その別の図である。
【図７】シンセサイザにおける操作パネルの構成例を示す図である。
【符号の説明】
【００４９】
１０…デジタルミキサ、１１…ＣＰＵ，１２…ＲＯＭ、１３…ＲＡＭ、１４…通信Ｉ／Ｆ、１５…表示回路、１６…検出回路、１７…音響信号入出力部、１８…ＤＳＰ、１９…表示部、２０…操作子、１００…コンソール、１２０…ｃｈストリップ、１２１…表示パネル、１２２…パンスイッチ、１２３…選択スイッチ、１２４…ソロスイッチ、１２５…オンスイッチ、１２６…ＬＥＤ、１２７…フェーダ、１２８…つまみ、１３１…液晶ディスプレイ、１３２…カーソルキー、１３３…コントラストダイヤル、１３４…レイヤ選択キー、２００…操作パネル、２０１…ソロボタン、２０２…ｃｈ選択ボタン、２１０…操作子群
【図１】
2006140674.tif 000003
【図２】
2006140674.tif 000004
【図３】
2006140674.tif 000005
【図４】
2006140674.tif 000006
【図５】
2006140674.tif 000007
【図６】
2006140674.tif 000008
【図７】
2006140674.tif 000009